(57)【要約】【課題】バルク伝送方式の放送番組の受信に必要な情報を適時に受信できるとともに、チューナーによる消費電力および発熱を抑えることができる放送受信装置およびその制御方法を提供する。【解決手段】デジタル放送受信装置が、複数のチューナー（１００、１０２）を有し、１つのチャンネルを使って放送される通常伝送方式の放送番組と複数のチャンネルを使って放送されるバルク伝送方式の放送番組とを受信可能な第１の受信手段と、放送番組とは別に放送されている、放送番組の伝送方式に関する情報を含む伝送情報を受信する第２の受信手段（１１４）と、第２の受信手段により受信した伝送情報に基づいて第１の受信手段を制御する制御手段（１１３）と、を備える。制御手段（１１３）は、伝送情報を参照することにより第１の受信手段で受信すべき放送番組が通常伝送方式かバルク伝送方式かを判断し、通常伝送方式の場合は１つのチューナー（１００）のみを稼働させ、バルク伝送方式の場合は複数のチューナー（１００、１０２）を稼働させる。【選択図】図１
2010166372.tif 000002
【特許請求の範囲】
【請求項１】
複数のチューナーを有し、１つのチャンネルを使って放送される通常伝送方式の放送番組と複数のチャンネルを使って放送されるバルク伝送方式の放送番組とを受信可能な第１の受信手段と、
前記放送番組とは別に放送されている、放送番組の伝送方式に関する情報を含む伝送情報を受信する第２の受信手段と、
前記第２の受信手段により受信した伝送情報に基づいて前記第１の受信手段を制御する制御手段と、を備え、
前記制御手段は、前記伝送情報を参照することにより前記第１の受信手段で受信すべき放送番組が通常伝送方式かバルク伝送方式かを判断し、通常伝送方式の場合は１つのチューナーのみを稼働させ、バルク伝送方式の場合は複数のチューナーを稼働させることを特徴とする放送受信装置。
【請求項２】
前記伝送情報が、放送番組の伝送開始時刻に関する情報を含んでおり、
前記制御手段は、前記第２の受信手段により受信した伝送情報を参照することにより前記第１の受信手段で受信すべき放送番組の伝送開始時刻を取得し、その伝送開始時刻に合わせて前記第１の受信手段に前記放送番組の受信を開始させることを特徴とする請求項１に記載の放送受信装置。
【請求項３】
前記第２の受信手段は、前記第１の受信手段のチューナーよりも消費電力が小さいチューナーを有することを特徴とする請求項１または２に記載の放送受信装置。
【請求項４】
前記第２の受信手段のチューナーは、電力を常に供給され、前記伝送情報を常に受信可能な状態に保たれることを特徴とする請求項１乃至３のうちいずれかに記載の放送受信装置。
【請求項５】
前記伝送情報は、前記放送番組を伝送するための第１の帯域とは独立し、かつ、前記第１の帯域よりも狭い第２の帯域において伝送され、
前記第２の受信手段のチューナーは、前記第１の受信手段のチューナーよりも受信帯域が狭いチューナーであることを特徴とする請求項３または４に記載の放送受信装置。
【請求項６】
前記伝送情報は、前記放送番組を伝送するための第１の帯域内の一部のセグメントである第２の帯域において伝送され、
前記第２の受信手段のチューナーは、前記第１の受信手段のチューナーよりも受信帯域が狭いチューナーであることを特徴とする請求項３または４に記載の放送受信装置。
【請求項７】
複数のチューナーを有し、１つのチャンネルを使って放送される通常伝送方式の放送番組と複数のチャンネルを使って放送されるバルク伝送方式の放送番組とを受信可能な放送受信装置の制御方法であって、
前記放送番組を受信するためのチューナーとは異なるチューナーにより、前記放送番組とは別に放送されている、放送番組の伝送方式に関する情報を含む伝送情報を受信する工程と、
受信した前記伝送情報を参照することにより、受信すべき放送番組が通常伝送方式かバルク伝送方式かを判断する工程と、
受信すべき放送番組が通常伝送方式の場合は１つのチューナーのみが稼働し、バルク伝送方式の場合は複数のチューナーが稼働するように、前記複数のチューナーを制御する工程と、
を備えることを特徴とする放送受信装置の制御方法。
【発明の詳細な説明】
【技術分野】
【０００１】
本発明は、デジタル放送を受信可能な放送受信装置およびその制御方法に関し、特に、バルク伝送方式に対応した放送受信装置およびその制御方法に関する。
【背景技術】
【０００２】
将来的な放送サービスの一つとして、バルク伝送方式によるデジタル放送が検討されている。バルク伝送方式では、２チャンネル帯域を用いて（＝受信装置側は２個のチューナーを稼動させる）、高解像度映像（例えば４ｋ×２ｋ）の番組をライブ送信することが可能になる。バルク伝送方式のサービス開始後、放送局からは、現行の受信装置で受信可能な１チャンネル帯域を使用する番組と、バルク伝送方式対応受信装置でのみ受信可能な２チャンネル帯域を使用するバルク伝送方式の番組とが混在して放送されることになる。
【０００３】
バルク伝送方式においては、放送データをデジタル放送受信装置内に一旦蓄積し、放送とは非同期に視聴を行う運用も検討されている。例えば、広帯域の伝送方法を用いることにより、本来の視聴時間よりも短い時間で高速に伝送・蓄積することができる。また、従来放送の空き帯域などを用いることにより、本来の視聴時間よりも長い時間で低速に伝送・蓄積することもできる。
【０００４】
バルク伝送方式は、２チャンネル帯域を用いて放送データを伝送する。バルク伝送方式対応の放送受信装置は、２セットのチューナー部および復調部を備えており、それぞれのチューナー部で放送データを受信する。そして放送受信装置は、２個の復調部の出力を合成して高解像度の映像を生成する。したがって、バルク伝送方式のチャンネルを選局する際には、放送受信装置は、予め、合成の対象となる２つのチャンネルを示す情報（バルク相関情報とよぶ）を取得する必要がある。
【０００５】
特許文献１には、地上デジタル放送受信用の複数のチューナーを備え、複数のチューナーの出力を合成して再生可能な受信装置が開示されている。また特許文献１では、合成の対象を示す情報を受信装置に知らせる手段として、一方のチャンネルのデータ中に、相関のある他方のチャンネルの情報を付加する方法を提案している。
【特許文献１】特開２００３−１５２５７９号公報
【発明の開示】
【発明が解決しようとする課題】
【０００６】
バルク伝送方式対応の放送受信装置において、常に全てのチューナーに電力を供給すると、チューナーによる消費電力の増大および発熱が問題になる。しかしながら、放送受信装置が待機状態のときにチューナーへ電力を供給しないようにした場合、バルク伝送方式のチャンネル選局に時間がかかる。また、放送データの蓄積や予約録画に支障をきたすおそれもある。以下、図１９Ａ〜図１９Ｃを参照して、チューナーの電源制御の例とその問題点を詳しく説明する。
【０００７】
図１９Ａ〜図１９Ｃは、バルク伝送方式による放送信号（バルク伝送方式チャンネル）と１チャンネル帯域を用いる通常伝送方式による放送信号（通常伝送方式チャンネル）を受信可能な放送受信装置におけるチューナー部および復調部の電源制御の例を示す表である。バルク伝送方式対応の放送受信装置は、チューナー部および復調部を２組（第１のチューナー部と復調部、第２のチューナー部と復調部）備えている。
【０００８】
図１９Ａは、消費電力および発熱を最小にする電源制御を示している。「状態１：待機
状態」は、デジタル放送受信装置が使用されていない状態である。第１のチューナー部および復調部、第２のチューナー部および復調部、双方とも電源切である。「状態２：通常伝送方式受信状態」は、通常伝送方式チャンネルを受信している状態である。第１のチューナー部および復調部が１チャンネル帯域を受信するため、第１のチューナー部および復調部は電源入である。第２のチューナー部および復調部は、受信する信号がないため、電源切である。「状態３：バルク伝送方式受信状態」は、バルク伝送方式チャンネルを受信している状態である。第１のチューナー部および復調部が電源入であり、一方の１チャンネル帯域を受信する。第２のチューナー部および復調部も電源入であり、バルク伝送方式を構成する他方の１チャンネル帯域を受信する。つまり、２組のチューナー部および復調部が協働して２チャンネル帯域を受信する。
【０００９】
デジタル放送受信装置が、バルク伝送方式チャンネルを受信する際、２つのチャンネルの相関を示す情報（バルク相関情報）を取得する必要がある。通常伝送方式チャンネルからバルク伝送方式チャンネルへの切り換えが発生した場合、図１９Ａの電源制御では、放送受信装置が第２のチューナー部及び復調部の電源を入れ、バルク相関情報を取得した後、バルク伝送チャンネルの受信が始まる。したがって、図１９Ａの電源制御には、チャンネル切り換えが遅いという課題がある。
【００１０】
そこで、図１９Ｂに示すようにチューナー部および復調部の電源制御を行う方法が考えられる。図１９Ｂに示す電源制御では、「状態２：通常伝送方式受信状態」でも第２のチューナー部および復調部の電源を入れ、第２のチューナー部および復調部によりバルク相関情報を予め受信しておく。図１９Ｂに示す制御を行った場合、バルク相関情報が予め蓄積されるので、状態２から状態３へ切り換える時間を短くすることができる。
【００１１】
しかしながら、図１９Ｂの電源制御でも、状態１から状態３へ直接遷移した場合（つまり、放送受信装置の電源入と同時に選ばれたチャンネルがバルク伝送方式チャンネルであった場合）は、チャンネル切り換えが遅いという課題がある。
【００１２】
そこで、図１９Ｃに示すようにチューナー部および復調部の電源制御を行う方法が考えられる。図１９Ｃに示す電源制御では、「状態１：待機状態」でも第２のチューナー部および復調部の電源を入れ、第２のチューナー部および復調部によりバルク相関情報を予め受信しておく。図１９Ｃに示す制御を行った場合、バルク相関情報が予め蓄積されるので、状態１から状態３へ切り換える時間を短くすることができる。
【００１３】
しかし、図１９Ａ〜図１９Ｃのいずれの電源制御でも、「状態３：バルク伝送方式受信状態」において、別のバルク伝送方式チャンネルへチャンネルが切り換えられた際は、チャンネル切り換えに時間を要する。状態３においては、別のバルク伝送方式チャンネルのバルク相関情報を予め取得し蓄積しておくことができないためである。また、図１９Ｂに示す電源制御方法では、状態２において、第２のチューナー部および復調部における消費電力および発熱が、図１９Ａに示す電源制御方法と比べ、増加する。同じく、図１９Ｃに示す電源制御方法では、状態１および状態２において、第２のチューナー部および復調部における消費電力および発熱が、図１９Ａに示す電源制御方法と比べ、増加する。
【００１４】
また上述したように、バルク伝送方式においては、伝送と視聴が非同期となる伝送方式がある。つまり、視聴とは無関係な伝送速度にて、一旦デジタル放送受信装置内部に放送データを蓄積し、その後視聴する方式である。本方式に対応したデジタル放送受信装置は、放送番組の放送時間の変更が生じた際に、その時間変更を迅速に検知し、放送データの受信時刻を自動的に変更する必要がある。それゆえ、放送時間変更に関する情報を適時に取得するために、少なくとも１組のチューナー部および復調部に常時電源を供給しておくべきである。しかし、チューナー部および復調部による消費電力および発熱が大きくなる
課題がある。とはいえ、消費電力および発熱を防ぐためにチューナー部等への電力供給を停止すると、放送データの受信・蓄積に支障をきたす可能性がある。予約録画においても同様の課題が生ずる。
【００１５】
本発明は上記実情に鑑みてなされたものであり、バルク伝送方式の放送番組の受信に必要な情報を適時に受信できるとともに、チューナーによる消費電力および発熱を抑えることができる放送受信装置およびその制御方法を提供することを目的とする。
【課題を解決するための手段】
【００１６】
上記目的を達成するために本発明は、以下の構成を採用する。
本発明の第１の態様は、複数のチューナーを有し、１つのチャンネルを使って放送される通常伝送方式の放送番組と複数のチャンネルを使って放送されるバルク伝送方式の放送番組とを受信可能な第１の受信手段と、
前記放送番組とは別に放送されている、放送番組の伝送方式に関する情報を含む伝送情報を受信する第２の受信手段と、
前記第２の受信手段により受信した伝送情報に基づいて前記第１の受信手段を制御する制御手段と、を備え、
前記制御手段は、前記伝送情報を参照することにより前記第１の受信手段で受信すべき放送番組が通常伝送方式かバルク伝送方式かを判断し、通常伝送方式の場合は１つのチューナーのみを稼働させ、バルク伝送方式の場合は複数のチューナーを稼働させる放送受信装置である。
【００１７】
本発明の第２の態様は、複数のチューナーを有し、１つのチャンネルを使って放送される通常伝送方式の放送番組と複数のチャンネルを使って放送されるバルク伝送方式の放送番組とを受信可能な放送受信装置の制御方法であって、
前記放送番組を受信するためのチューナーとは異なるチューナーにより、前記放送番組とは別に放送されている、放送番組の伝送方式に関する情報を含む伝送情報を受信する工程と、
受信した前記伝送情報を参照することにより、受信すべき放送番組が通常伝送方式かバルク伝送方式かを判断する工程と、
受信すべき放送番組が通常伝送方式の場合は１つのチューナーのみが稼働し、バルク伝送方式の場合は複数のチューナーが稼働するように、前記複数のチューナーを制御する工程と、を備える放送受信装置の制御方法である。
【発明の効果】
【００１８】
本発明によれば、バルク伝送方式の放送番組の受信に必要な情報を適時に受信できるとともに、チューナーによる消費電力および発熱を抑えることができる。
【発明を実施するための最良の形態】
【００１９】
この発明の好適な実施形態の構成について説明する。本発明の実施形態に係る放送受信装置は、１つのチャンネルを使って放送される通常伝送方式の放送番組と複数のチャンネルを使って放送されるバルク伝送方式の放送番組とを受信可能な第１の受信手段を備える。第１の受信手段は、放送番組（番組本体を構成するデータ）を受信するための複数のチューナー（図１の符号１００、１０２；図８の符号８００、８０２；図１８の符号８００、１８０２参照）を備える。なお現在は２つのチャンネルを利用するバルク伝送方式が予定されているが、本発明は２チャンネルに限らず、３以上のチャンネルを利用するバルク伝送方式にも適用することができる。
【００２０】
放送局からは、放送番組とは別に、伝送情報が放送される。伝送情報は、少なくとも、放送番組の伝送方式に関する情報（通常伝送方式かバルク伝送方式かを示す情報、チャン
ネルを示す情報など）を含んでいる。また伝送情報は、伝送開始時刻や伝送終了時刻に関する情報を含むこともできる。伝送情報は、放送番組を伝送するための帯域（第１の帯域）よりも狭い帯域（第２の帯域）において伝送される。この第２の帯域は、第１の帯域とは独立していてもよいし（図３参照）、第１の帯域内の一部のセグメント（図１０参照）でもよい。
【００２１】
本実施形態の放送受信装置は、上記伝送情報を受信するための第２の受信手段（図１の符号１１４、１１５、１１６；図８の符号８１２、８１３、８１４；図１８の１８０２、１８０３、８１４参照）を備えている。すなわち、放送受信装置は、放送番組（番組本体を構成するデータ）を受信するための第１の受信手段とは別に、伝送情報を受信するための専用の受信手段を備えているのである。よって、第１の受信手段の状態（待機状態、通常伝送方式チャンネルを受信している状態、バルク伝送方式チャンネルを受信している状態など）によらず、伝送情報の取得が可能である。典型的には、第２の受信手段のチューナーが電力を常に供給されており、伝送情報を常に受信可能な状態に保たれているとよい。これにより、各放送番組の伝送方式に関する情報や伝送開始時刻に関する情報などを随時更新できるため、選局のタイムラグを可及的に小さくできるとともに、放送時間の変更を漏れなく迅速に検知することが可能となる。なお、第２の受信手段による消費電力や発熱をも低減するために、例えば、第２の受信手段による伝送情報の受信処理を所定のインターバルを挟んで断続的に行う構成も好ましい。また、放送受信装置が待機状態にある場合は第２の受信手段への電力供給を停止することも好ましい。
【００２２】
第２の受信手段のチューナーには、第１の受信手段のチューナーよりも消費電力が小さいチューナーを用いることが好ましい。これにより、第２の受信手段を常に（または長時間）稼働させたとしても、消費電力および発熱を抑えることができる。例えば、第２の受信手段のチューナーとしては、第１の受信手段のチューナーよりも受信帯域の狭いチューナーを用いることができる。典型的には、第１の受信手段のチューナーとは別に、第２の受信手段のチューナーが設けられる（図１の符号１１４、図８の符号８１２参照）。他の構成として、放送番組を伝送するための帯域（第１の帯域）全体を受信する第１受信モードと、伝送情報が伝送されている狭帯域（第２の帯域）のみを低消費電力で受信する第２受信モードを備えるチューナーを用いてもよい（図１８の符号１８０２参照）。これにより、第１の受信手段のチューナーと第２の受信手段のチューナーを１つのチューナーで兼用することができ、放送受信装置を小型化できる。
【００２３】
放送受信装置は、第２の受信手段により受信した伝送情報に基づいて第１の受信手段を制御する制御手段を備える（図１の符号１１３、１２５〜１２８；図８及び図１８の符号８１１、８２４〜８２７参照）。例えば、視聴者より放送番組の選局要求があった場合、制御手段は、伝送情報を参照することにより第１の受信手段で受信すべき放送番組が通常伝送方式かバルク伝送方式かを判断する。そして、制御手段は、通常伝送方式の場合は１つのチューナーのみを稼働させ、バルク伝送方式の場合は複数のチューナーを稼働させる。このような制御により、チューナーによる消費電力および発熱を可及的に抑制することができる。また、第２の受信手段で伝送情報が予め取得されているので、選局のタイムラグも可及的に小さくできる。伝送情報が放送番組の伝送開始時刻に関する情報を含んでいる場合、制御手段は、伝送情報を参照することにより第１の受信手段で受信すべき放送番組の伝送開始時刻を取得し、その伝送開始時刻に合わせて第１の受信手段に放送番組の受信を開始させることができる。このような制御により、放送時間の変更による放送データの受信・蓄積の失敗を低減することができる。
【００２４】
では、以下に本発明の具体的な実施例を詳しく説明する。
【００２５】
＜実施例１＞
（放送受信装置）
図１は、本発明の実施例１におけるデジタル放送受信装置の構成を示すブロック図である。本実施例におけるデジタル放送受信装置は、バルク伝送方式により送信されるデジタル放送波を受信し、受信と同時に視聴者に映像および音声として提示する。また、本実施例におけるデジタル放送受信装置は、バルク伝送方式ではない通常伝送方式のデジタル放送をも受信し、受信と同時に視聴者に提示する。
【００２６】
図１に示すようにデジタル放送受信装置は、チューナー部１００、復調部１０１、チューナー部１０２、復調部１０３、ＴＳ合成部１０４（ＴＳ：Transport Stream）、デマルチプレクス部１０５を備える。また、同装置は、映像復号部１０６、映像表示部１０７、音声復号部１０８、音声出力部１０９、ＳＩデータ取得部１１０（ＳＩ：Service Information）、ＳＩデータ解析部１１１、番組情報蓄積部１１２、制御部１１３を備える。さ
らに、同装置は、狭帯域チューナー部１１４、狭帯域復調部１１５、伝送情報取得部１１６、伝送情報解析部１１７、伝送情報蓄積部１１８、制御バス１１９〜１２０、電源１２４、電源制御部１２５〜１３０を備える。
【００２７】
制御部１１３が、他の構成部を制御し、デジタル放送受信装置を制御する。図示していないアンテナとチューナー部１００は第１のデジタル放送信号１２１を受信し、復調部１０１は受信された信号を復調し、第１のＴＳ信号を生成する。アンテナとチューナー部１０２は第２のデジタル放送信号１２２を受信し、復調部１０３は受信された信号を復調し、第２のＴＳ信号を生成する。ＴＳ合成部１０４は、第１のＴＳ信号と第２のＴＳ信号を合成する。デマルチプレクス部１０５は、ＳＩデータ取得部１１０が要求するＳＩデータを合成ＴＳ信号から分離し、ＳＩデータ取得部１１０へ出力する。制御部１１３は、制御バス１１９を介して、ＳＩデータ取得部１１０からＳＩデータ解析部１１１へＳＩデータを転送する。ＳＩデータ解析部１１１は、ＳＩデータを解析し番組情報を取り出す。番組情報蓄積部１１２は、番組情報を蓄積する。デマルチプレクス部１０５は、蓄積された番組情報に基づき、合成ＴＳ信号から符号化映像信号および符号化音声信号を分離し出力する。映像復号部１０６は、符号化映像信号を復号する。映像表示部１０７は、ディスプレイなどで構成され、映像を表示する。音声復号部１０８は、符号化音声信号を復号する。音声出力部１０９は、音声アンプ・スピーカーなどで構成され、音声を出力する。
【００２８】
アンテナと狭帯域チューナー部１１４は、第１のデジタル放送信号１２１および第２のデジタル放送信号１２２とは別の狭帯域で伝送される伝送情報デジタル放送信号１２３を受信する。狭帯域復調部１１５は、受信された信号を復調し、伝送情報を出力する。伝送情報には、少なくとも伝送方式がバルク伝送方式か通常伝送方式かを示す情報・伝送に利用されるチャンネル番号（バルク伝送方式の場合は２チャンネル、通常伝送方式の場合は１チャンネル）・伝送開始時刻・伝送終了時刻が番組ごとに記録されている。伝送情報取得部１１６は、伝送情報を取得する。制御部１１３は、制御バス１２０を介して、伝送情報取得部１１６から伝送情報解析部１１７へ伝送情報を転送する。伝送情報解析部１１７は、伝送情報を解析し、少なくとも伝送方式がバルク伝送方式か通常伝送方式かを示す情報・伝送に利用されるチャンネル番号・伝送開始時刻・伝送終了時刻を番組ごとに取り出す。伝送情報蓄積部１１８は、解析された伝送情報を蓄積する。制御バス１１９および制御バス１２０は、制御部１１３と他の各部を接続し、制御部１１３が他の各部を制御できるようにする。
【００２９】
チューナー部１００は、制御部１１３により入および切制御が可能な電源制御部１２５を介して電源１２４と接続されている。制御部１１３は電源制御部１２５を介してチューナー部１００への電源供給を制御できる。同様に、制御部１１３は復調部１０１、チューナー部１０２および復調部１０３、狭帯域チューナー部１１４および狭帯域復調部１１５への電源供給を制御できる。チューナー部１００、復調部１０１、チューナー部１０２、
復調部１０３、狭帯域チューナー部１１４および狭帯域復調部１１５以外の各部へも電源供給はなされるが、本実施例とは直接関係ないため、図示していない。
【００３０】
（放送送信装置）
図２は、本実施例におけるデジタル放送受信装置が受信するデジタル放送信号を送信するデジタル放送送信装置の構成を示すブロック図である。デジタル放送送信装置は、バルク伝送方式による放送信号を１系統、従来方式による放送信号を１系統送信する。
【００３１】
図２に示すようにデジタル放送受信装置は、バルク伝送方式送信部２００、通常伝送方式送信部２２０、伝送情報送信部２４０、放送信号合成部２６０、制御部２６１、制御バス２６３〜２６５により構成される。詳細には、バルク伝送方式送信部２００は、映像符号化部２０１、音声符号化部２０２、番組情報生成部２０３、マルチプレクス部２０４、ＴＳ分離部２０５、変調部２０６、アップコンバート部２０７、変調部２０８、アップコンバート部２０９から構成される。通常伝送方式送信部２２０は、映像符号化部２２１、音声符号化部２２２、番組情報生成部２２３、マルチプレクス部２２４、変調部２２６、アップコンバート部２２７から構成される。伝送情報送信部２４０は、伝送情報生成部２４１、狭帯域変調部２４６、狭帯域アップコンバート部２４７から構成される。
【００３２】
図２の放送送信装置は、２チャンネル帯域を用いるバルク伝送方式による放送信号を１系統、１チャンネル帯域を用いる通常伝送方式による放送信号を１系統生成することができる。この装置にバルク伝送方式送信部２００および通常伝送方式送信部２２０を追加することで、生成する放送信号を増やすことが可能である。例えば、バルク伝送方式送信部２００を２系統、通常伝送方式送信部２２０を２系統備える送信装置を構成すれば、バルク伝送方式による放送信号を２系統、通常伝送方式による放送信号を２系統生成することが可能である。本実施例に示すデジタル放送受信装置は、デジタル放送送信装置が出力する放送信号の系統数に依存せず実施可能である。本実施例では、図２に示すように、デジタル放送送信装置がバルク伝送方式デジタル放送信号を１系統、通常伝送方式デジタル放送信号を１系統出力する場合を例に取り説明する。
【００３３】
図２を用いて、バルク伝送方式送信部２００の動作を説明する。バルク伝送方式送信部２００は、制御バス２６３を介して制御部２６１の制御により、以下の動作を行う。映像符号化部２０１は映像信号２１０を符号化映像信号（例えば、ＭＰＥＧ−２  Ｖｉｄｅｏ信号）（MPEG-2 Video：ISO/IEC 13818-2 Information technology -- Generic coding of moving pictures and associated audio information: Video）に変換する。音声符号
化部２０２は音声信号２１１を符号化音声信号（例えば、ＡＡＣ信号）（AAC：ISO/IEC 13818-7 Information technology -- Generic coding of moving pictures and associated audio information -- Part 7:Advanced Audio Coding）に変換する。番組情報生成部
２０３は、図示していないキーボードなどによって入力されたデータを元に、番組情報（例えば、番組の開始時刻、終了時刻、名称）を生成する。マルチプレクス部２０４は、符号化映像信号、符号化音声信号、番組情報をマルチプレクスし、１個のＴＳ信号に合成する。なお、番組情報生成部２０３は、前述の番組情報に、符号化映像信号および符号化音声信号のＰＩＤ（PID：Packet Identifier）を特定する情報を付加する。ＴＳ分離部２０５は、合成ＴＳ信号を２系統のＴＳ信号に分離する。変調部２０６は、ＴＳ信号を電波として伝送するのに適した方式（例えば、ＱＡＭ）（QAM：Quadrature Amplitude Modulation）の信号に変換する。アップコンバート部２０７は、変調部２０６が出力した信号をアップコンバートし、所定の周波数へ変換する。変調部２０８およびアップコンバート部２０９は、変調部２０６およびアップコンバート部２０７と同様の動作をする。アップコンバート部２０７の出力が、第１のデジタル放送信号２１２となる。アップコンバート部２０９の出力が、第２のデジタル放送信号２１３となる。
【００３４】
図２を用いて、通常伝送方式送信部２２０の動作を説明する。通常伝送方式送信部２２０は、制御バス２６４を介して制御部２６１の制御により、以下の動作を行う。映像符号化部２２１は映像信号２３０を符号化映像信号（例えば、ＭＰＥＧ−２  Ｖｉｄｅｏ信号）に変換する。音声符号化部２２２は音声信号２３１を符号化音声信号（例えば、ＡＡＣ信号）に変換する。番組情報生成部２２３は、図示していないキーボードなどによって入力されたデータを元に、番組情報（例えば、番組の開始時刻、終了時刻、名称）を生成する。マルチプレクス部２２４は、符号化映像信号、符号化音声信号、番組情報をマルチプレクスし、１個のＴＳ信号に合成する。なお、番組情報生成部２２３は、前述の番組情報に、符号化映像信号および符号化音声信号のＰＩＤを特定する情報を付加する。変調部２２６は、ＴＳ信号を電波として伝送するのに適した方式（例えば、ＱＡＭ）の信号に変換する。アップコンバート部２２７は、変調部２２６が出力した信号をアップコンバートし、所定の周波数へ変換する。アップコンバート部２２７の出力が、第３のデジタル放送信号２３２となる。
【００３５】
図２を用いて、伝送情報送信部２４０の動作を説明する。伝送情報送信部２４０は、制御バス２６５を介して制御部２６１の制御により、以下の動作を行う。伝送情報生成部２４１は、伝送情報を生成する。伝送情報には、少なくとも伝送方式がバルク伝送方式か通常伝送方式かを示す情報・伝送に利用されるチャンネル番号（バルク伝送方式の場合は２チャンネル、通常伝送方式の場合は１チャンネル）・伝送開始時刻・伝送終了時刻が番組ごとに記録されている。伝送情報は、バルク伝送方式送信部２００および通常伝送方式送信部２２０が出力する放送信号と整合が取れており、バルク伝送方式送信部２００および通常伝送方式送信部２２０の双方から送信される番組の情報を含んでいる。狭帯域変調部２４６は、伝送情報を電波として伝送するのに適した方式（例えば、ＱＰＳＫ）（QPSK：Quadrature Phase Shift Keying）の信号に変換する。狭帯域アップコンバート部２４７
は、狭帯域変調部２４６が出力した信号をアップコンバートし、所定の周波数へ変換する。狭帯域アップコンバート部２４７の出力が、伝送情報デジタル放送信号２５２である。伝送情報デジタル放送信号２５２は、第１のデジタル放送信号２１２および第２のデジタル放送信号２１３および第３のデジタル放送信号２３２のいずれの信号が占める帯域よりも、狭い帯域を占める。前記の通り、バルク伝送方式送信部２００および通常伝送方式送信部２２０を追加し、デジタル放送送信装置が送信するバルク伝送方式放送信号および通常伝送方式放送信号の系統数を増やすことが可能である。系統数を増やした場合であっても、伝送情報デジタル放送信号２５２に含まれる伝送情報は、全系統の放送信号の情報を含んでいなければならない。また、伝送情報と全系統の放送信号の内容は、整合が取れていなければならない。
【００３６】
図２を用いて、デジタル放送送信装置の動作を説明する。前記の通り、バルク伝送方式送信部２００が第１のデジタル放送信号２１２および第２のデジタル放送信号２１３を出力する。通常伝送方式送信部２２０が第３のデジタル放送信号２３２を出力する。伝送情報送信部２４０が伝送情報デジタル放送信号２５２を出力する。放送信号合成部２６０は、制御部２６１の制御により、第１のデジタル放送信号２１２および第２のデジタル放送信号２１３および第３のデジタル放送信号２３２および伝送情報デジタル放送信号２５２を合成して放送信号２６２を出力する。放送信号２６２は図示していないアンテナにより送信される。
【００３７】
（放送信号）
図３は、図２に示すデジタル放送送信装置が送信する放送信号であり、本実施例におけるデジタル放送受信装置が受信できる放送信号の伝送スペクトルを示す図である。第１のデジタル放送信号２１２は、第１のチャンネル帯域３０１において伝送される。第２のデジタル放送信号２１３は、第２のチャンネル帯域３１１において伝送される。第１のデジタル放送信号２１２と第２のデジタル放送信号２１３が組となり、バルク伝送方式による
デジタル放送信号３４０を構成する。第３のデジタル放送信号２３２は、第３のチャンネル帯域３２１において伝送される。第３のデジタル放送信号２３２は、通常伝送方式によるデジタル放送信号３５０である。伝送情報デジタル放送信号２５２は、伝送情報のチャンネル帯域３３１において伝送される。伝送情報のチャンネル帯域３３１は、第１のチャンネル帯域３０１および第２のチャンネル帯域３１１および第３のチャンネル帯域３２１のいずれの帯域よりも、狭い帯域を占める。
【００３８】
（伝送情報の取得）
図４は、本実施例におけるデジタル放送受信装置が、伝送情報を蓄積する手順を示すフローチャートである。詳細は後述するが、視聴者が図示していないリモコンなどを用いて、番組を視聴したい旨の要求をデジタル放送受信装置に伝えると、制御部１１３は、デジタル放送受信装置の内部で、狭帯域選局要求を発生させ、図４に示す動作を行う。
【００３９】
図４を用いて具体的な手順を説明する。狭帯域選局要求が発生すると（Ｓ４００）、制御部１１３は、狭帯域チューナー部１１４および狭帯域復調部１１５の電源を入れる（Ｓ４０１）。制御部１１３の制御により狭帯域チューナー部１１４および狭帯域復調部１１５が狭帯域選局を行う（Ｓ４０２）。伝送情報取得部１１６が伝送情報を取得する（Ｓ４０３）。伝送情報解析部１１７が伝送情報を解析し、既に蓄積されている伝送情報が存在する場合は、既に蓄積されている伝送情報と新たに取得した伝送情報を比較する（Ｓ４０４）。伝送情報の更新が認められるときは（Ｓ４０４のＹｅｓ）、伝送情報蓄積部１１８が伝送情報を蓄積する（Ｓ４０５）。Ｓ４０４またはＳ４０５の後、Ｓ４０３へ戻り、前述の動作を繰り返す。
【００４０】
（選局動作）
図５は、本実施例におけるデジタル放送受信装置が、放送番組を選局し視聴者に提示する手順を示すフローチャートである。選局動作は、視聴者が図示していないリモコンなどを用いて、映像表示部１０７および音声出力部１０９の動作を有効にするよう命じたとき、チャンネルを変えるように命じたときに、実行される。また、予め設定された時刻にデジタル放送受信装置が自動的にチャンネルを換えるように設定されている場合にその時刻となったとき、その他チャンネルを変える必要があるときにも、選局動作が実行される。
【００４１】
図５を用いて、選局動作の手順を説明する。選局要求が発生すると（Ｓ５００）、制御部１１３は、伝送情報蓄積部１１８から選局すべきチャンネルにおいて現在放送されている番組に関する伝送情報を検索する（Ｓ５０１）。すなわち、制御部１１３は、チャンネルが選局すべきチャンネルであり、現在時刻が開始時刻と終了時刻の間となる番組を検索する。制御部１１３は、チューナー部１００および復調部１０１の電源を入れる（Ｓ５０２）。制御部１１３は、チューナー部１００および復調部１０１は、発見された番組の伝送情報が示す周波数のデジタル放送信号を選局し受信する（Ｓ５０３）。本実施例のデジタル放送送信装置が出力する放送信号においては、第１のデジタル放送信号２１２または第３のデジタル放送信号２３２が受信される。
【００４２】
次に制御部１１３は、Ｓ５０１において検索した伝送情報に基づき、選局しているチャンネルがバルク伝送方式チャンネルか否かを判定する（Ｓ５０４）。バルク伝送方式チャンネルの場合は（Ｓ５０４のＹｅｓ）、制御部１１３は、チューナー部１０２および復調部１０３の電源を入れる（Ｓ５０５）。チューナー部１０２および復調部１０３は、Ｓ５０１において発見された番組の伝送情報が示す周波数のデジタル放送信号を選局し受信する（Ｓ５０６）。本実施例のデジタル放送送信装置が出力する放送信号においては、第２のデジタル放送信号２１３が受信される。一方、バルク伝送方式チャンネルではない場合は（Ｓ５０４のＮｏ）、制御部１１３は、チューナー部１０２および復調部１０３の電源を切る（Ｓ５０７）。
【００４３】
制御部１１３は、ＴＳ合成部１０４を制御し、バルク伝送方式の場合は復調部１０１および復調部１０３の出力を合成し、バルク伝送方式でない場合は、復調部１０１の出力だけをデマルチプレクス部１０５へ伝える（Ｓ５０８）。デマルチプレクス部１０５は、ＴＳ信号をＳＩデータ、符号化映像信号、符号化音声信号に分離する（Ｓ５０９）。ＳＩデータ取得部１１０がＳＩデータを取得する（Ｓ５１０）。ＳＩデータ解析部１１１がＳＩデータを解析する（Ｓ５１１）。映像復号部１０６が符号化映像信号を復号する（Ｓ５１２）。映像表示部１０７が映像信号を表示する（Ｓ５１３）。音声復号部１０８が符号化音声信号を復号する（Ｓ５１４）。音声出力部１０９が音声を出力する（Ｓ５１５）。
【００４４】
（電源制御）
次に、デジタル放送受信装置の電源制御について説明する。図６は、デジタル放送受信装置の電源制御の概略を示す表である。
【００４５】
デジタル放送受信装置が放送番組の受信動作を行っていないとき、制御部１１３は、電源制御部１２５、１２６を切に制御し、チューナー部１００および復調部１０１へ電源を供給しない。同様に、制御部１１３は、電源制御部１２７、１２８を切に制御し、チューナー部１０２および復調部１０３へ電源を供給しない。また、制御部１１３は、電源制御部１２９、１３０を切に制御し、狭帯域チューナー部１１４および狭帯域復調部１１５へ電源を供給しない。本状態は図６の「状態１：待機状態」に相当する。
【００４６】
デジタル放送受信装置が通常伝送方式によるデジタル放送信号の受信動作を行っているとき、制御部１１３は、電源制御部１２５を入に制御し、チューナー部１００へ電源を供給する。同様に、制御部１１３は、電源制御部１２６を入に制御し復調部１０１へ電源を供給する。しかし、制御部１１３は、電源制御部１２７、１２８を切に制御し、チューナー部１０２と復調部１０３へ電源を供給しない。制御部１１３は、電源制御部１２９、１３０を入に制御し、狭帯域チューナー部１１４と狭帯域復調部１１５へ電源を供給する。本状態は図６の「状態２：通常伝送方式受信状態」に相当する。
【００４７】
デジタル放送受信装置がバルク伝送方式によるデジタル放送信号の受信動作を行っているとき、制御部１１３は、電源制御部１２５、１２６を入に制御し、チューナー部１００および復調部１０１へ電源を供給する。同様に、制御部１１３は、電源制御部１２７、１２８を入に制御し、チューナー部１０２および復調部１０３へ電源を供給する。制御部１１３は、電源制御部１２９、１３０を入に制御し、狭帯域チューナー部１１４および狭帯域復調部１１５へ電源を供給する。本状態は図６の「状態３：バルク伝送方式受信状態」に相当する。
【００４８】
本実施例における電源状態を遷移する方法を説明する。デジタル放送受信装置が番組の受信動作を行っていないとき、デジタル放送受信装置は、図６の「状態１：待機状態」にある。視聴者が図示していないリモコンなどを用いて、番組を視聴したい要求をデジタル放送受信装置に伝えると、デジタル放送受信装置は、内部で狭帯域選局要求を発生させて図４に示す手順を実行し、番組情報の蓄積を行う。さらに、視聴者の選局要求により図５に示す手順が実行され、図６の「状態２：通常伝送方式受信状態」または「状態３：バルク伝送方式受信状態」に遷移する。デジタル放送受信装置は、図５に示す手順を実行した後、通常伝送方式の番組を受信する場合は状態２へ遷移し、バルク伝送方式の番組を受信する場合は状態３へ遷移する。また、デジタル放送受信装置が状態２または状態３にあるとき、視聴者が別のチャンネルへの選局要求を行うと、デジタル放送受信装置は、図５に示す手順を実行し、選局動作を行う。この結果、図５に示す手順によって、通常伝送方式の番組を受信する場合は状態２へ遷移し、バルク伝送方式の番組を受信する場合は、状態３へ遷移する。さらに、デジタル放送受信装置が状態２または状態３の状態にあるとき、
視聴者が番組の視聴を停止した通知をデジタル放送受信装置に伝えると、デジタル放送受信装置は、電源制御部１２５〜１３０を切に制御する。これにより、チューナー部１００、復調部１０１、チューナー部１０２、復調部１０３、狭帯域チューナー部１１４および狭帯域復調部１１５への電源の供給が停止し、状態１へ遷移する。
【００４９】
本実施例によれば、待機状態では、チューナー部１００、復調部１０１、チューナー部１０２、復調部１０３、狭帯域チューナー部１１４および狭帯域復調部１１５へ電源を供給しない。また、通常伝送方式受信状態では、チューナー部１０２および復調部１０３へ電源を供給しない。
【００５０】
従来例と比較し、説明する。図６に示す本実施例の電源制御と図１９Ｂに示す従来例の電源制御を比較する。「状態２：通常伝送方式受信状態」において、チューナー部１００および復調部１０１（第１のチューナー部および復調部）の電源に関して、本実施例および図１９Ｂに示す従来例において電源入である。チューナー部１０２および復調部１０３（第２のチューナー部および復調部）の電源に関して、本実施例では電源切であるが、図１９Ｂに示す従来例では、電源入である。狭帯域チューナー部１１４および狭帯域復調部１１５の電源に関して、本実施例では電源入であるが、図１９Ｂに示す従来例では対応する部位が存在しない。また、狭帯域の放送信号の受信は、通常帯域の放送信号の受信よりも、低消費電力にて行うことができる。本実施例においては、通常帯域の放送信号の受信に代えて、狭帯域の放送信号の受信を行う。したがって、「状態２：通常伝送方式受信状態」において、図１９Ｂに示す従来例に比べ、デジタル放送受信装置のチューナー部および復調部による消費電力を小さくすることができ、発熱を小さくすることができる。
【００５１】
また、「状態２：通常伝送方式受信状態」または「状態３：バルク伝送方式受信状態」にあるときは、伝送情報デジタル放送信号を受信することにより、全系統のバルク伝送方式放送信号および通常伝送方式放送信号に関して常に最新の伝送情報が蓄積される。よって、状態２または状態３において別のチャンネルに切り替えたとき、すばやく選局することができる。
【００５２】
＜実施例２＞
本発明の実施例２について説明する。実施例２では、実施例１と同じく、図１に示すデジタル放送受信装置により、図２に示すデジタル放送送信装置が送信したバルク伝送方式および通常伝送方式によるデジタル放送信号を受信する。デジタル放送受信装置およびデジタル放送送信装置の制御も、実施例１と同じである。ただし、デジタル放送受信装置の狭帯域チューナー部１１４および狭帯域復調部１１５に関する電源制御は、異なる。以下、実施例１との相違点を説明する。
【００５３】
図７は、本実施例におけるデジタル放送受信装置の電源制御の概略を示す表である。図７に示す通り、「状態１：待機状態」における電源制御が実施例１とは異なる。「状態２：通常伝送方式受信状態」および「状態３：バルク伝送方式受信状態」における電源制御は実施例１と同じである。
【００５４】
「状態１：待機状態」における電源制御を説明する。デジタル放送受信装置が番組の受信動作を行っていないとき、制御部１１３は、電源制御部１２５、１２６を切に制御し、チューナー部１００および復調部１０１へ電源を供給しない。同様に、制御部１１３は、電源制御部１２７、１２８を切に制御し、チューナー部１０２および復調部１０３へ電源を供給しない。制御部１１３は、電源制御部１２９、１３０を入に制御し、狭帯域チューナー部１１４および狭帯域復調部１１５へ電源を供給する。
【００５５】
本実施例における電源状態を遷移する方法を説明する。デジタル放送受信装置が番組の
受信動作を行っていないとき、デジタル放送受信装置は、図７の「状態１：待機状態」にある。デジタル放送受信装置は、内部で狭帯域選局要求を発生させて図４に示す手順を実行し、番組情報の蓄積を行う。視聴者がリモコンなどを用いて、番組を視聴したい要求（選局要求）をデジタル放送受信装置に伝えると、デジタル放送受信装置は、図５に示す手順を実行し、図７の「状態２：通常伝送方式受信状態」または「状態３：バルク伝送方式受信状態」に遷移する。デジタル放送受信装置は、図５に示す手順を実行した後、通常伝送方式の番組を受信する場合は状態２へ遷移し、バルク伝送方式の番組を受信する場合は状態３へ遷移する。また、デジタル放送受信装置が状態２または状態３の状態にあるとき、視聴者が別のチャンネルへの選局要求を行うと、デジタル放送受信装置は、図５に示す手順を実行し、選局動作を行う。この結果、図５に示す手順によって、通常伝送方式の番組を受信する場合は状態２へ遷移し、バルク伝送方式の番組を受信する場合は、状態３へ遷移する。さらに、デジタル放送受信装置が状態２または状態３の状態にあるとき、視聴者が番組の視聴を停止した通知をデジタル放送受信装置に伝えると、デジタル放送受信装置は、電源制御部１２５〜１２８を切に制御する。これにより、チューナー部１００、復調部１０１、チューナー部１０２および復調部１０３への電源の供給が停止し、状態１へ遷移する。しかし、狭帯域チューナー部１１４および狭帯域復調部１１５への電源の供給は継続し、伝送情報の蓄積を続ける。
【００５６】
本実施例によれば、待機状態では、チューナー部１００、復調部１０１、チューナー部１０２および復調部１０３に電源を供給しない。また、通常伝送方式受信状態では、チューナー部１０２および復調部１０３に電源を供給しない。
【００５７】
従来例と比較し、説明する。図７に示す本実施例の電源制御と図１９Ｃに示す従来例の電源制御を比較する。「状態１：待機状態」において、チューナー部１００および復調部１０１（第１のチューナー部および復調部）の電源に関して、本実施例および図１９Ｃに示す従来例において電源切である。チューナー部１０２および復調部１０３（第２のチューナー部および復調部）の電源に関して、本実施例では電源切であるが、図１９Ｃに示す従来例では、電源入である。狭帯域チューナー部１１４および狭帯域復調部１１５の電源に関して、本実施例では電源入であるが、図１９Ｃに示す従来例では対応する部位が存在しない。また、狭帯域の放送信号の受信は、通常帯域の放送信号の受信よりも、低消費電力にて行うことができる。本実施例においては、通常帯域の放送信号の受信に代えて、狭帯域の放送信号の受信を行う。したがって、「状態１：待機状態」において、図１９Ｃに示す従来例に比べ、デジタル放送受信装置のチューナー部および復調部による消費電力を小さくすることができ、発熱を小さくすることができる。「状態２：通常伝送方式受信状態」においても、実施例１と同様の理由により、図１９Ｃに示す従来例に比べ、デジタル放送受信装置のチューナー部および復調部による消費電力を小さくすることができ、発熱を小さくすることができる。
【００５８】
また、伝送情報デジタル放送信号を常に受信することにより、全系統のバルク伝送方式放送信号および通常伝送方式放送信号に関して常に最新の伝送情報が蓄積されている。よって、待機状態・通常伝送方式受信状態・バルク伝送方式受信状態のいずれの状態からであっても、すばやく選局することができる。
【００５９】
＜実施例３＞
本発明の実施例３について説明する。
【００６０】
（放送受信装置）
図８は、本実施例におけるデジタル放送受信装置の構成を示すブロック図である。本実施例におけるデジタル放送受信装置は、バルク伝送方式により送信される放送波を受信し、デジタル放送受信装置内に蓄積する。また、本実施例におけるデジタル放送受信装置は
、バルク伝送方式ではない通常伝送方式のデジタル放送をも受信し、デジタル放送受信装置内に蓄積する。
【００６１】
図８に示すように、デジタル放送受信装置は、フルセグメントチューナー部８００、フルセグメント復調部８０１、フルセグメントチューナー部８０２、フルセグメント復調部８０３、ＴＳ合成部８０４、蓄積ＴＳ生成部８０５を備える。またデジタル放送受信装置は、記録部８０６、デマルチプレクス部８０７、ＳＩデータ取得部８０８、ＳＩデータ解析部８０９、番組情報蓄積部８１０、制御部８１１、ワンセグメントチューナー部８１２、ワンセグメント復調部８１３を備える。さらにデジタル放送受信装置は、伝送情報取得部８１４、伝送情報解析部８１５、伝送情報蓄積部８１６、蓄積番組選択部８１７、時計部８１８、制御バス８１９〜８２０、電源８２３、電源制御部８２４〜８２７を備える。
【００６２】
制御部８１１が、他の構成部を制御し、デジタル放送受信装置を制御する。図示していないアンテナとフルセグメントチューナー部８００は第１のデジタル放送信号８２１を受信し、フルセグメント復調部８０１は受信された信号を復調し、第１のＴＳ信号を生成する。アンテナとフルセグメントチューナー部８０２は第２のデジタル放送信号８２２を受信し、フルセグメント復調部８０３は受信された信号を復調し、第２のＴＳ信号を生成する。ＴＳ合成部８０４は、第１のＴＳ信号と第２のＴＳ信号を合成する。デマルチプレクス部８０７は、ＳＩデータ取得部８０８が要求するＳＩデータを合成ＴＳ信号から分離し、ＳＩデータ取得部８０８へ出力する。制御部８１１は、制御バス８１９を介して、ＳＩデータ取得部８０８からＳＩデータ解析部８０９へＳＩデータを転送する。ＳＩデータ解析部８０９は、ＳＩデータを解析し番組情報を取り出す。番組情報蓄積部８１０は、番組情報を蓄積する。蓄積ＴＳ生成部８０５は、番組情報に含まれる番組を構成するＰＩＤ情報に基づき、合成ＴＳから番組を構成するパケットだけを抜き出し蓄積ＴＳを生成する。記録部８０６は、蓄積ＴＳを記録する。
【００６３】
アンテナとワンセグメントチューナー部８１２は、第１のデジタル放送信号８２１または第２のデジタル放送信号８２２の一部であるワンセグメントメントデジタル放送信号を受信する。ワンセグメント復調部８１３は、受信された信号を復調し、伝送情報を出力する。伝送情報には、少なくとも伝送方式がバルク伝送方式か通常伝送方式かを示す情報・伝送に利用されるチャンネル番号（バルク伝送方式の場合は２チャンネル、通常伝送方式の場合は１チャンネル）・伝送開始時刻・伝送終了時刻が番組ごとに記録されている。伝送情報取得部８１４は、伝送情報を取得する。制御部８１１は、制御バス８２０を介して、伝送情報取得部８１４から伝送情報解析部８１５へＳＩデータを転送する。伝送情報解析部８１５は、伝送情報を解析し、少なくとも伝送方式がバルク伝送方式か通常伝送方式かを示す情報・伝送に利用されるチャンネル番号・伝送開始時刻・伝送終了時刻を番組ごとに取り出す。伝送情報蓄積部８１６は、解析された伝送情報を蓄積する。蓄積番組選択部８１７は、視聴者の指示に従い、蓄積番組を選択し、制御部８１１に通知する。時計部８１８は、制御部８１１が指定した時刻に、指定時刻になったことを制御部８１１に通知する。制御バス８１９および制御バス８２０は、制御部８１１と他の各部を接続し、制御部８１１が他の各部を制御できるようにする。
【００６４】
フルセグメントチューナー部８００は、制御部８１１により入および切制御が可能な電源制御部８２４を介して電源８２３と接続されている。制御部８１１は電源制御部８２４を介してフルセグメントチューナー部８００への電源供給を制御できる。同様に、制御部８１１はフルセグメント復調部８０１、フルセグメントチューナー部８０２およびフルセグメント復調部８０３への電源供給を制御できる。フルセグメントチューナー部８００、フルセグメント復調部８０１、フルセグメントチューナー部８０２およびフルセグメント復調部８０３以外の各部へも電源供給はなされるが、本実施例とは直接関係ないため、図示していない。
【００６５】
（放送送信装置）
図９は、本実施例におけるデジタル放送受信装置が受信するデジタル放送信号を送信するデジタル放送送信装置の構成を示すブロック図である。デジタル放送送信装置は、バルク伝送方式による放送信号を１系統、従来方式による放送信号を１系統送信する。
【００６６】
図９に示すようにデジタル放送受信装置は、バルク伝送方式送信部９００、通常伝送方式送信部２２０、放送信号合成部９６０、制御部９６１、制御バス２６３〜２６４により構成される。詳細には、バルク伝送方式送信部９００は、映像符号化部２０１、音声符号化部２０２、番組情報生成部２０３、伝送情報生成部９４１、マルチプレクス部２０４、ＴＳ分離部２０５、セグメント変調部９０６、９０８、アップコンバート部９０７、９０９から構成される。通常伝送方式送信部２２０の内部は、実施例１における図２と同じであるため、説明を省略する。
【００６７】
図９の放送送信装置は、２チャンネル帯域を用いるバルク伝送方式による放送信号を１系統、１チャンネル帯域を用いる通常伝送方式による放送信号を１系統生成することができる。この装置にバルク伝送方式送信部９００および通常伝送方式送信部２２０を追加することで、生成する放送信号を増やすことが可能である。例えば、バルク伝送方式送信部９００を２系統、通常伝送方式送信部２２０を２系統備える送信装置を構成すれば、バルク伝送方式による放送信号を２系統、通常伝送方式による放送信号を２系統生成することが可能である。本実施例に示すデジタル放送受信装置は、デジタル放送送信装置が出力する放送信号の系統数に依存せず実施可能である。本実施例では、図９に示すように、デジタル放送送信装置がバルク伝送方式デジタル放送信号を１系統、通常伝送方式デジタル放送信号を１系統出力する場合を例に取り説明する。
【００６８】
図９を用いて、バルク伝送方式送信部９００の動作を説明する。バルク伝送方式送信部９００は、制御バス２６３を介して制御部９６１の制御により、以下の動作を行う。映像符号化部２０１、音声符号化部２０２、番組情報生成部２０３、マルチプレクス部２０４、ＴＳ分離部２０５の動作は実施例１における図２と同じであるため、説明を省略する。伝送情報生成部９４１は、伝送情報を生成する。伝送情報には、少なくとも伝送方式がバルク伝送方式か通常伝送方式かを示す情報・伝送に利用されるチャンネル番号（バルク伝送方式の場合は２チャンネル、通常伝送方式の場合は１チャンネル）・伝送開始時刻・伝送終了時刻が番組ごとに記録されている。伝送情報は、バルク伝送方式送信部９００および通常伝送方式送信部２２０が出力する放送信号と整合が取れており、バルク伝送方式送信部９００および通常伝送方式送信部２２０の双方から送信される番組の情報を含んでいる。セグメント変調部９０６は、ＴＳ信号を、１チャンネル帯域を複数のセグメントに分けて伝送するセグメント方式の信号に変換する。例えば、日本の地上デジタル放送で用いられるＯＦＤＭ（OFDM：Orthogonal Frequency Division Multiplexing）方式の信号に変換する。本実施例においては、１３セグメントからなるセグメント方式を用いる。中央のセグメントに伝送情報生成部９４１が出力した伝送情報を割り当て、他の１２セグメントに、ＴＳ分離部２０５が出力したＴＳ信号を割り当てる。アップコンバート部９０７は、セグメント変調部９０６が出力した信号をアップコンバートし、所定の周波数へ変換する。セグメント変調部９０８およびアップコンバート部９０９は、セグメント変調部９０６およびアップコンバート部９０７と同様の動作をする。アップコンバート部９０７の出力が、第１のデジタル放送信号９１２となる。アップコンバート部９０９の出力が、第２のデジタル放送信号９１３となる。なお、セグメント変調部９０６およびセグメント変調部９０８には、伝送情報生成部９４１から同一の伝送情報が入力されるため、第１のデジタル放送信号９１２および第２のデジタル放送信号９１３の中央セグメントには、同一の伝送情報が変調されて含まれる。
【００６９】
通常伝送方式送信部２２０の動作は、実施例１における図２と同じである。
【００７０】
図９を用いて、デジタル放送送信装置の動作を説明する。前記の通り、バルク伝送方式送信部９００が第１のデジタル放送信号９１２および第２のデジタル放送信号９１３を出力する。通常伝送方式送信部２２０が第３のデジタル放送信号２３２を出力する。放送信号合成部９６０は、制御部９６１の制御により、第１のデジタル放送信号９１２および第２のデジタル放送信号９１３および第３のデジタル放送信号２３２を合成して放送信号９６２を出力する。放送信号９６２は図示していないアンテナにより送信される。
【００７１】
（放送信号）
図１０は、図９に示すデジタル放送送信装置が送信する放送信号であり、本実施例におけるデジタル放送受信装置が受信できる放送信号の伝送スペクトルを示す図である。第１のデジタル放送信号９１２および第２のデジタル放送信号９１３は、それぞれ１３個のセグメント１００２および１０１２から構成されている。中央の伝送情報セグメント１００３および１０１３において伝送情報を伝送し、他のセグメントで映像信号・音声信号・ＳＩデータを伝送する。
【００７２】
第１のデジタル放送信号９１２は、第１のチャンネル帯域１００１において伝送される。第２のデジタル放送信号９１３は、第２のチャンネル帯域１０１１において伝送される。第１のデジタル放送信号９１２と第２のデジタル放送信号９１３が組となり、バルク伝送方式によるデジタル放送信号１０４０を構成する。第３のデジタル放送信号２３２、第３のチャンネル帯域３２１、通常伝送方式によるデジタル放送信号３５０に関しては、実施例１における図３と同じであるため、説明を省略する。
【００７３】
（伝送情報の取得）
図１１は、本実施例におけるデジタル放送受信装置が、伝送情報を蓄積する手順を示すフローチャートである。デジタル放送受信装置は電源が供給されると、すぐに図１１の手順に従い伝送情報の蓄積を開始し、電源が供給されている間は、常に伝送情報を蓄積しつづける。
【００７４】
図１１を用いて具体的な手順を説明する。デジタル放送受信装置への電源供給が開始される（Ｓ１１００）と、制御部８１１の制御によりワンセグメントチューナー部８１２およびワンセグメント復調部８１３がワンセグメント選局を行う（Ｓ１１０１）。ワンセグメント選局とは、１３セグメントからなるデジタル放送信号から、１セグメントの帯域だけを選択して選局することである。ワンセグメント選局Ｓ１１０１の対象となる帯域は、第１のデジタル放送信号９１２に含まれる伝送情報セグメント１００３または第２のデジタル放送信号９１３に含まれる伝送情報セグメント１０１３である（図１０参照）。伝送情報取得部８１４が伝送情報を取得する（Ｓ１１０２）。伝送情報解析部８１５が伝送情報を解析し、既に蓄積されている伝送情報が存在する場合は、既に蓄積されている伝送情報と新たに取得した伝送情報を比較する（Ｓ１１０３）。伝送情報の更新が認められるとき（Ｓ１１０３のＹｅｓ）は、伝送情報蓄積部８１６が伝送情報を蓄積する（Ｓ１１０４）。Ｓ１１０３またはＳ１１０４の後、Ｓ１１０２へ戻り、前述の動作を繰り返す。
【００７５】
（選局・蓄積動作）
図１２は、本実施例におけるデジタル放送受信装置が、放送番組を選局し蓄積する手順を示すフローチャートである。蓄積動作は、後述する蓄積予約において蓄積すべき番組の伝送が開始されたとき、実行される。
【００７６】
図１２を用いて、蓄積動作の手順を説明する。蓄積要求が発生すると（Ｓ１２００）、制御部８１１は、伝送情報蓄積部８１６から蓄積することを要求された番組に関する伝送
情報を検索する（Ｓ１２０１）。制御部８１１は、フルセグメントチューナー部８００およびフルセグメント復調部８０１の電源を入れる（Ｓ１２０２）。フルセグメントチューナー部８００およびフルセグメント復調部８０１は、発見された番組の伝送情報が示す周波数のデジタル放送信号を選局し受信する（Ｓ１２０３）。本実施例のデジタル放送送信装置が出力する放送信号においては、第１のデジタル放送信号９１２または第３のデジタル放送信号２３２が受信される。Ｓ１２０３においては、選局しているチャンネルがバルク伝送チャンネルである場合は、１３セグメントから伝送情報セグメント以外のセグメントを選択して受信し、選局しているチャンネルがバルク伝送チャンネルでない場合は、１３セグメントをすべて受信する。
【００７７】
次に制御部８１１は、Ｓ１２０１において検索した伝送情報に基づき、選局しているチャンネルがバルク伝送チャンネルか否かを判定する（Ｓ１２０４）。バルク伝送チャンネルの場合は（Ｓ１２０４のＹｅｓ）、制御部８１１は、フルセグメントチューナー部８０２およびフルセグメント復調部８０３の電源を入れる（Ｓ１２０５）。フルセグメントチューナー部８０２およびフルセグメント復調部８０３は、Ｓ１２０１において発見された番組の伝送情報が示す周波数のデジタル放送信号を選局し受信する（Ｓ１２０６）。本実施例のデジタル放送送信装置が出力する放送信号においては、第２のデジタル放送信号９１３が受信される。バルク伝送方式チャンネルではない場合は（Ｓ１２０４のＮｏ）、フルセグメントチューナー部８０２およびフルセグメント復調部８０３の電源を切る（Ｓ１２０７）。
【００７８】
制御部８１１は、ＴＳ合成部８０４を制御し、バルク伝送方式の場合はフルセグメント復調部８０１およびフルセグメント復調部８０３の出力を合成する。バルク伝送方式でない場合は、制御部８１１は、フルセグメント復調部８０１の出力だけを蓄積ＴＳ生成部８０５およびデマルチプレクス部８０７へ伝える（Ｓ１２０８）。デマルチプレクス部８０７は、ＴＳ信号をＳＩデータ、符号化映像信号、符号化音声信号に分離する（Ｓ１２０９）。ＳＩデータ取得部８０８がＳＩデータを取得する（Ｓ１２１０）。ＳＩデータ解析部８０９がＳＩデータを解析する（Ｓ１２１１）。解析して得られたＳＩデータに基づき蓄積ＴＳ生成部８０５が蓄積ＴＳを生成する（Ｓ１２１２）。記録部８０６が蓄積ＴＳを記録する（Ｓ１２１３）。
【００７９】
（蓄積予約）
図１３は、本実施例におけるデジタル放送受信装置が、蓄積予約を設定する手順を示すフローチャートである。蓄積予約とは、予約した番組の伝送が開始されると番組を構成するデータを自動的に蓄積する機能である。デジタル放送受信装置は番組情報蓄積部８１０に蓄積された番組情報を視聴者に提示し、視聴者の指示により蓄積番組選択部８１７が蓄積する番組を選択する（Ｓ１３００）。制御部８１１は、時計部８１８へ蓄積開始時刻を設定する（Ｓ１３０１）。蓄積開始時刻になると時計部８１８が制御部８１１へ通知する。なお、デジタル放送受信装置は、図１１に示す手順にて、常に伝送情報を蓄積しているので、視聴者の要求時に、番組情報蓄積部８１０に蓄積された番組情報を視聴者に提示することが可能である。
【００８０】
（蓄積予約時の伝送情報の取得）
図１４は、本実施例におけるデジタル放送受信装置が、蓄積予約がなされているときに伝送情報を蓄積する手順を示すフローチャートである。デジタル放送受信装置は蓄積予約が設定されると、すぐに図１４の手順に従い伝送情報の蓄積を、蓄積予約している番組の伝送時刻に変更があった場合は、時計部８１８を再度設定する。蓄積予約が設定されている間は、デジタル放送受信装置は常に図１４に従い伝送情報の蓄積と時計部８１８の再設定を行う。図１４を用いて具体的な手順を説明する。Ｓ１４０５以外のステップは図１１と同じであるため説明を省略する。制御部８１１は、伝送情報の更新が認められるとき（
Ｓ１１０３のＹｅｓ）は、時計部を新たな伝送情報（伝送開始時刻および伝送終了時刻）に基づいた番組開始時刻に通知するよう再度設定する（Ｓ１４０５）。Ｓ１１０３またはＳ１４０５の後、Ｓ１１０２へ戻り、前述の動作を繰り返す。
【００８１】
（蓄積の開始・終了）
図１５は、本実施例におけるデジタル放送受信装置が、蓄積予約による蓄積を開始する手順を示すフローチャートである。図１５を用いて具体的な手順を説明する。蓄積開始時刻になると、時計部８１８が、蓄積開始時刻になったことを制御部８１１に通知する（Ｓ１５００）。制御部８１１は、図１２に示す手順を実行し、蓄積すべき番組を選局し、蓄積を開始する（Ｓ１５０１）。制御部８１１は、蓄積終了時刻に通知するよう時計部８１８設定する（Ｓ１５０２）。
【００８２】
蓄積開始時刻に変更があった場合と同様、蓄積終了時刻に変更があった場合、制御部８１１は、図１４に示す手順により、Ｓ１４０５において蓄積終了時刻を時計部８１８に再設定する。
【００８３】
図１６は、本実施例におけるデジタル放送受信装置が、蓄積予約による蓄積を停止する手順を示すフローチャートである。図１６を用いて具体的な手順を説明する。蓄積終了時刻になると、時計部８１８が、蓄積終了時刻になったことを制御部８１１に通知する（Ｓ１６００）。制御部８１１が蓄積ＴＳ生成部８０５および記録部８０６を制御し、蓄積を停止する（Ｓ１６０１）。制御部８１１は、電源制御部８２４、８２５を切に制御し、フルセグメントチューナー部８００およびフルセグメント復調部８０１への電源供給を停止する。同様に、制御部８１１は、電源制御部８２６、８２７を切に制御し、フルセグメントチューナー部８０２およびフルセグメント復調部８０３への電源供給を停止する（Ｓ１６０２）。
【００８４】
（電源制御）
次に、デジタル放送受信装置の電源制御について説明する。図１７は、デジタル放送受信装置の電源制御の概略を示す表である。
【００８５】
デジタル放送受信装置が蓄積動作を行っていないとき、制御部８１１は、電源制御部８２４、８２５を切に制御し、フルセグメントチューナー部８００およびフルセグメント復調部８０１へ電源を供給しない。同様に、制御部８１１は、電源制御部８２６、８２７を切に制御し、フルセグメントチューナー部８０２およびフルセグメント復調部８０３へ電源を供給しない。ワンセグメントチューナー部８１２およびワンセグメント復調部８１３へは常に電源が供給される。本状態は図１７の「状態１：待機状態」に相当する。
【００８６】
デジタル放送受信装置が通常伝送方式によるデジタル放送信号の蓄積動作を行っているとき、制御部８１１は、電源制御部８２４を入に制御し、フルセグメントチューナー部８００へ電源を供給する。同様に、制御部８１１は、電源制御部８２５を入に制御しフルセグメント復調部８０１へ電源を供給する。しかし、制御部８１１は、電源制御部８２６、８２７を切に制御し、フルセグメントチューナー部８０２およびフルセグメント復調部８０３へ電源を供給しない。ワンセグメントチューナー部８１２およびワンセグメント復調部８１３へは常に電源が供給される。本状態は図１７の「状態２：通常伝送方式蓄積状態」に相当する。
【００８７】
デジタル放送受信装置がバルク伝送方式によるデジタル放送信号の蓄積動作を行っているとき、制御部８１１は、電源制御部８２４、８２５を入に制御し、フルセグメントチューナー部８００およびフルセグメント復調部８０１へ電源を供給する。同様に、制御部８１１は、電源制御部８２６、８２７を入に制御し、フルセグメントチューナー部８０２お
よびフルセグメント復調部８０３へ電源を供給する。ワンセグメントチューナー部８１２およびワンセグメント復調部８１３へは常に電源が供給される。本状態は図１７の「状態３：バルク伝送方式蓄積状態」に相当する。
【００８８】
本実施例における電源状態を遷移する方法を説明する。デジタル放送受信装置が蓄積動作を行っていないとき、デジタル放送受信装置は、図１７の「状態１：待機状態」にある。蓄積すべき番組の開始時刻となると、デジタル放送受信装置は、図１２に示す手順を実行した後、通常伝送方式の番組を蓄積する場合は状態２へ遷移し、バルク伝送方式の番組を蓄積する場合は状態３へ遷移する。デジタル放送受信装置が状態２または状態３の状態にあるとき、蓄積している番組の終了時刻となると、デジタル放送受信装置は、電源制御部８２４〜８２７を切に制御する。これにより、フルセグメントチューナー部８００、フルセグメント復調部８０１、フルセグメントチューナー部８０２、フルセグメント復調部８０３への電源の供給が停止し、状態１へ遷移する。また、複数の蓄積予約が連続して発生した場合、デジタル放送受信装置は状態２または状態３の状態から、図１２に示す手順を実行し、別の蓄積番組を選局し蓄積することも可能である。この結果、図１２に示す手順によって、通常伝送方式の番組を蓄積する場合は状態２へ遷移し、バルク伝送方式の番組を蓄積する場合は、状態３へ遷移する。
【００８９】
本実施例によれば、待機状態では、フルセグメントチューナー部８００、フルセグメント復調部８０１、フルセグメントチューナー部８０２およびフルセグメント復調部８０３に電源を供給しない。また、通常伝送方式蓄積状態では、フルセグメントチューナー部８０２およびフルセグメント復調部８０３に電源を供給しない。さらに、セグメント方式伝送において、１セグメントの帯域を選択して受信すると、１３セグメントの帯域を受信する場合に比べ、低消費電力にて受信することができる。そのため、デジタル放送受信装置のチューナー部および復調部による消費電力を小さくすることができ、発熱を小さくすることができる。本実施例では、通常のチューナー部および復調部ではなく、ワンセグメントチューナー部８１２およびワンセグメント復調部８１３を用いているため、デジタル放送受信装置の消費電力を小さくすることができ、発熱を小さくすることができる。１３セグメント伝送方式の放送信号から１セグメントの帯域を選択して常に受信することにより、全系統のバルク伝送方式放送信号および通常伝送方式放送信号に関して常に最新の伝送情報が蓄積されている。よって、伝送情報の更新に対し時計部８１８を再設定することができ、伝送開始時刻および伝送終了時刻の変更に対して、デジタル放送受信装置が対応することができる。
【００９０】
＜実施例４＞
本発明の実施例４について説明する。実施例４は、デジタル放送受信装置の構成および制御は実施例３と略同一であるが、チューナー部および復調部の構成が異なる。以下、実施例３との相違点を説明する。
【００９１】
図１８は、本実施例におけるデジタル放送受信装置の構成を示すブロック図である。
【００９２】
実施例３の図８におけるフルセグメントチューナー部８０２およびワンセグメントチューナー部８１２をフルセグメント受信（１２セグメントを選択して受信）とワンセグメント受信（１セグメントを選択して受信）両対応のチューナー部１８０２で置き換える。チューナー部１８０２は、フルセグメント受信とワンセグメント受信を同時に行うことができるとともに、ワンセグメント受信だけを低消費電力にて行うことができる。
【００９３】
実施例３の図８におけるフルセグメント復調部８０３およびワンセグメント復調部８１３をフルセグメント復調（１２セグメントを選択して復調）とワンセグメント復調（１セグメントを選択して復調）両対応の復調部１８０３で置き換える。復調部１８０３は、フ
ルセグメント復調とワンセグメント復調を同時に行うことができるとともに、ワンセグメント復調だけを低消費電力にて行うことができる。復調部１８０３は、フルセグメント復調により得たＴＳ信号をＴＳ合成部８０４へ出力し、ワンセグメント復調により得た伝送情報を伝送情報取得部８１４へ出力する。
【００９４】
実施例３と同様の制御により、図１０に示すデジタル放送信号に対して、ワンセグメント受信およびワンセグメント復調、フルセグメント受信およびフルセグメント復調を行えば、実施例３と同様の効果を得ることができる。
【図面の簡単な説明】
【００９５】
【図１】実施例１のデジタル放送受信装置の構成を示すブロック図である。
【図２】実施例１のデジタル放送送信装置の構成を示すブロック図である。
【図３】実施例１のデジタル放送信号の伝送スペクトルを示す図である。
【図４】実施例１のデジタル放送受信装置が伝送情報を蓄積する手順を示すフローチャートである。
【図５】実施例１のデジタル放送受信装置が番組の選局を行い視聴者に提示する手順を示すフローチャートである。
【図６】実施例１のデジタル放送受信装置の電源制御の概略を示す表である。
【図７】実施例２のデジタル放送受信装置の電源制御の概略を示す表である。
【図８】実施例３のデジタル放送受信装置の構成を示すブロック図である。
【図９】実施例３のデジタル放送送信装置の構成を示すブロック図である。
【図１０】実施例３のデジタル放送信号の伝送スペクトルを示す図である。
【図１１】実施例３のデジタル放送受信装置が伝送情報を蓄積する手順を示すフローチャートである。
【図１２】実施例３のデジタル放送受信装置が番組の選局を行い蓄積する手順を示すフローチャートである。
【図１３】実施例３のデジタル放送受信装置が蓄積予約を設定する手順を示すフローチャートである。
【図１４】実施例３のデジタル放送受信装置が伝送情報を蓄積する手順を示すフローチャートである。
【図１５】実施例３のデジタル放送受信装置が蓄積予約による蓄積を開始する手順を示すフローチャートである。
【図１６】実施例３のデジタル放送受信装置が蓄積予約による蓄積を停止する手順を示すフローチャートである。
【図１７】実施例３のデジタル放送受信装置の電源制御の概略を示す表である。
【図１８】実施例４のデジタル放送受信装置の構成を示すブロック図である。
【図１９】従来例のデジタル放送受信装置の電源制御の概略を示す表である。
【符号の説明】
【００９６】
１００、１０２、１８０２  チューナー部
１０１、１０３、１８０３  復調部
１１３、８１１  制御部
１１４  狭帯域チューナー部
１１５  狭帯域復調部
１１６、８１４  伝送情報取得部
１１７、８１５  伝送情報解析部
１１８、８１６  伝送情報蓄積部
１２４、８２３  電源
１２５、１２６、１２７、１２８、１２９、１３０、８２４、８２５、８２６、８２７  電源制御部
２５２  伝送情報デジタル放送信号
３０１、１００１  第１のチャンネル帯域
３１１、１０１１  第２のチャンネル帯域
３２１  第３のチャンネル帯域
３３１  伝送情報のチャンネル帯域
３４０、１０４０  バルク伝送方式によるデジタル放送信号
３５０  通常伝送方式によるデジタル放送信号
８００、８０２  フルセグメントチューナー部
８０１、８０３  フルセグメント復調部
８１２  ワンセグメントチューナー部
８１３  ワンセグメント復調部
１００２、１０１２  セグメント
１００３、１０１３  伝送情報セグメント
【図１】
2010166372.tif 000003
【図２】
2010166372.tif 000004
【図３】
2010166372.tif 000005
【図４】
2010166372.tif 000006
【図５】
2010166372.tif 000007
【図６】
2010166372.tif 000008
【図７】
2010166372.tif 000009
【図８】
2010166372.tif 000010
【図９】
2010166372.tif 000011
【図１０】
2010166372.tif 000012
【図１１】
2010166372.tif 000013
【図１２】
2010166372.tif 000014
【図１３】
2010166372.tif 000015
【図１４】
2010166372.tif 000016
【図１５】
2010166372.tif 000017
【図１６】
2010166372.tif 000018
【図１７】
2010166372.tif 000019
【図１８】
2010166372.tif 000020
【図１９】
2010166372.tif 000021